(57)【要約】      （修正有）【課題】誰でも簡単に使用出来、故障などがなく、水滴と霜取りが共に一つの道具で使用可能であり、その上安価な清掃用具の提供。【解決手段】プラスチックス板１，２の持つ柔軟性を２枚重ねる事と、その中間に軟質ゴムブレード３を挟み込むことにより、平面、曲面両方ともに安定した作業が可能になる。又、構造が至ってシンプルな為、故障なども考えられず、製作も安価に出来、応用範囲も大きい。【選択図】図１
0003101526.tif 000002
【実用新案登録請求の範囲】
【請求項１】
建造物の壁面、窓、車輌などの平面、曲面のガラス、ミラーなどの表面の汚れを除去するための道具であり、その用途を大別すると以下に述べる如く、３種である。
構造の簡単な説明をすると、図１に示した如く、２枚の硬質プラスチックス板（１）（２）で図３に示したように軟質ゴム板（３）を接着テープ（５）（６）で固定したものである。
第１の使用例として、ガラス面の水滴や汚れを除去する場合、図４に示したように硬質ゴム（３）のエッジ部分（７）をガラス面（１１）に軽く押し当て乍ら、矢印の方向（８）に引くように作動させる。
第２の車輌などのガラス面に付着した氷結物（霜）の除去の場合、図（５）に示した如く、プラスチックス板（１）（２）を押えることにより一体化することで強度が増し、作動部分エッジ（９）をガラス面（１１）に斜めに押し当て、矢印の方向（１０）の氷結物を削るように押し進めるようにして除去する。
第３に浴室内のカガミなどが湯気で曇った時に使用する場合、作業前に図４のゴムエッジ部分（７）に石鹸液、又はシャンプー液などの乳化剤を含んだ液体をほんの少々塗布した上で、鏡面をゴムエッジ部分（７）で軽くなでるようにすれば、カガミ表面に於ける表面張力が弱まり、濡れの状態を作り出すことにより、曇りを除去することが出来る。
本考案の構造物はその構成する素材の特質上、凸面、凹面などの曲面上の作業をスムーズに行える。
【考案の詳細な説明】
【考案の詳細な説明】
【技術分野】
【０００１】  本考案は、建造物や車輌などの窓のガラスやカガミの清掃用具である。
【背景技術】
【０００２】  従来この分野における清掃用具としては、スクレッパー（霜取り用）、又は水滴除去用として、スクィジーなどが一般的であるが、従来その両方とも対応し又、平面、曲面共に使用出来るものは無かった。又、小生出願の特許出願２０００−７３１２９をご参照下さい。
【考案が解決しようとする課題】
【０００３】  従来使用されているスクレッパーやスクィジーはそれぞれ一長一短があり、本考案に於いて初めてそれが可能になった。その理由としてプラスチックス板２枚で軟質ゴムを挟むことにより、柔軟性と強度が確保出来るのである。
【課題を解決するための手段】
【０００４】
【考案を実施するための最良の形態】
【０００５】  構造、素材がいたってシンプルであるため、故障など考えられず、材料、制作費とも安価に仕上げることが可能。
【考案の効果】
【０００６】  本考案の製品があれば、冬期のおける屋外駐車時のガラスまどの氷結や車内面の水滴除去など、フルシーズンに使用が可能となるし、浴室の鏡のみならず、ドレッサーなどの鏡面清掃もいたって楽に出来る。
【図面の簡単な説明】
【図１】  本考案の清掃具（Ａ面）を示した斜視図である。
【図２】  本考案の清掃具（Ｂ面）を示した斜視図である。
【図３】  本考案の清掃具を示した側面図である。
【図４】  本考案の清掃具のゴムブレード（３）のエッジ部分（７）がガラス面（１１）に付着した霜などを取る状態を示した側面図である。
【符号の説明】
１    プラスチックス保持板
２    プラスチックス保持板
３    軟質ゴムブレード
４    吊下げ用穴
５    粘着テープ
６    粘着テープ
７    ゴムブレードエッジ部
８    清掃具作動方向（水滴除去時）
９    プラスチック板エッジ部
１０  清掃具作動方向（霜取時）
１１  ガラス、鏡面
【図１】
0003101526.tif 000003
【図２】
0003101526.tif 000004
【図３】
0003101526.tif 000005
【図４】
0003101526.tif 000006
【図５】
0003101526.tif 000007
【手続補正書】
【提出日】平成15年11月13日(2003.11.13)
【手続補正１】
【補正対象書類名】実用新案登録請求の範囲
【補正対象項目名】全文
【補正方法】変更
【補正の内容】
【実用新案登録請求の範囲】
【請求項１】
車輌、建造物及び浴室、洗面室などに使用されている平面及び曲面の形状を有する窓ガラス又は鏡面上に於いて、内外の温度差、湿度の差異によって発生する霜（氷結）又は結露を除去することを目的とする考案であり、その形状は２枚の薄いプラスチック板とその中間に挟み込むように保持された１枚の適度な柔軟度を有するゴム板が結合されている構造物である。
【手続補正２】
【補正対象書類名】明細書
【補正対象項目名】全文
【補正方法】変更
【補正の内容】
【考案の詳細な説明】
【技術分野】
【０００１】本考案は主として寒冷期における屋外駐車時において早朝及び夕刻に車窓の外側に付着する霜、又は車窓内面に付着する結露（水滴）を除去したり、浴室、洗面室などの鏡面の曇り（結露）等を簡便に除去するための道具である。
【背景技術】
【０００２】従来この分野における清掃用具としては、スクレッパー（霜取り用）、又は水滴除去用として、スクィジーなどが知られているが、いずれにしても柔軟性と強靭性を兼備し２つの機能を同時に有する構造になっていなかった。
【考案の開示】
【考案が解決しようとする課題】
【０００３】従来使用されているスクレッパーやスクィジーは主として平面上において機能するように形状が作られていて曲面に対して充分その動きをなしていなかった。
【課題を解決するための手段】
【０００４】前項で述べた課題を解決するために２枚の薄いプラスチックをその中間に適度な硬度を有する１枚のゴム板を挟み込んだ形状を作ることにより、柔軟性を保ちながら重ね合わすことに依り強靭性を兼備することが出来る。
【考案の実施するための最良の形態】
【０００５】構成する２つの部分品を貼り合せただけの単純な構造であり、素材も特殊品でないので製作が簡単である。
【考案の効果】
【０００６】従来、車窓には霜取りのためにヤカンの湯などをかけたり、車窓内面の結露を布などに拭き取っていたが手元に本考案の清掃具を常備することにより交通安全等にも充分寄与するものである。
【図面の簡単な説明】
【０００７】
【図１】本考案の清掃具（Ａ面）を示した斜視図である。
【図２】本考案の清掃具（Ｂ面）を示した斜視図である。
【図３】本考案の清掃具を示した側面図である。
【図４】本考案の清掃具のゴムブレード（３）のエッジ部分（７）がガラス面（１１）に付着した霜などを取る状態を示した側面図である。
【図５】本考案清掃具のプラスチックス保持板（１）（２）を使用し霜取り作業する時の、そのエッジ部分（９）がガラス面（１１）に強く押しつけられて上下一体となり矢印（１０）方向に強く清掃具を押し進めることによって霜取りをする状態を示した側面である。
【符号の説明】
【０００８】  １    プラスチックス保持板
２    プラスチックス保持板
３    軟質ゴムブレード
４    吊下げ用穴
５    粘着テープ
６    粘着テープ
７    ゴムブレードエッジ部
８    清掃具作動方向（水滴除去時）
９    プラスチック板エッジ部
１０  清掃具作動方向（霜取時）
１１  ガラス、鏡面